【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
ＰＯＳシステムと、ＰＯＳシステムで管理されている商品などの広告を管理するための広告管理サーバと、前記商品などの広告をウエッブ上で公開するための広告ＤＢと、からなる広告管理システムであって、
前記ＰＯＳシステムは、
商品の受発注在庫情報を商品別に広告管理サーバに対して送信する受発注在庫情報送信部を有し、
前記広告管理サーバは、
受発注在庫情報を受信する受発注在庫情報受信部と、
受発注在庫情報と、販売できる商品が少ない又は十分調達できない状況を示す閾値と、を比較した結果を、その商品の広告の頻度を少なくするか（命令Ａ）、訴求度が比較的小さい広告とするか（命令Ｂ）、又はその商品の広告を停止するか（命令Ｃ）の少なくともいずれか一以上の命令と関連付け、
受発注在庫情報と、販売できる商品が十分ある又は十分調達できる状況を示す閾値と、を比較した結果を、その商品の広告の頻度を多くするか（命令Ｄ）、訴求度が比較的大きい広告とするか（命令Ｅ）、又はそれまでにその商品の広告がされていない場合にはその商品の広告を開始するか（命令Ｆ）の少なくともいずれか一以上の命令と関連付けた広告管理テーブルを保持する広告管理テーブル保持部と、
受信した受発注在庫情報を前記閾値と比較して、その結果をキーとして広告管理テーブルを検索してその結果に関連付けられた命令を取得する命令取得部と、
取得した前記命令を広告ＤＢに送信する命令送信部と、を有し、
前記広告ＤＢは、
広告管理サーバから前記命令を受信する命令受信部と、
広告を蓄積する広告蓄積部と、
受信した前記命令が命令Ａである場合には、他の広告に比較して前記命令に係る商品の広告頻度を下げるスケジュールを計算するＡ計算部と、
受信した前記命令が命令Ｂであり、訴求度を示す属性が蓄積されている広告に与えられている場合には、訴求度を示す属性が比較的低い広告に前記命令に係る商品の広告を入れ替えるスケジュールを計算するＢ計算部と、
受信した前記命令が命令Ｃである場合には、前記命令に係る商品の広告を停止するスケジュールを計算するＣ計算部と、
受信した前記命令が命令Ｄである場合には、他の広告に比較して前記命令に係る商品の広告の頻度を多くするスケジュールを計算するＤ計算部と、
受信した前記命令が命令Ｅであり、訴求度を示す属性が蓄積されている広告に与えられている場合には、訴求度を示す属性が比較的大きい広告に前記命令に係る商品の広告を入れ替えるスケジュールを計算するＥ計算部と、
受信した前記命令が命令Ｆである場合には、前記命令に係る商品の広告を開始するスケジュールを計算するＦ計算部と、を有する
広告管理システム。
【請求項２】
ＰＯＳシステムと、商品などの広告をウエッブ上で公開するための広告ＤＢと、に接続され、ＰＯＳシステムで管理されている商品などの広告を管理するための広告管理サーバであって、
前記ＰＯＳシステムから受発注在庫情報を受信する受発注在庫情報受信部と、
受発注在庫情報と、販売できる商品が少ない又は十分調達できない状況を示す閾値と、を比較した結果を、その商品の広告の頻度を少なくするか（命令Ａ）、訴求度が比較的小さい広告とするか（命令Ｂ）、又はその商品の広告を停止するか（命令Ｃ）の少なくともいずれか一以上の命令と関連付け、
受発注在庫情報と、販売できる商品が十分ある又は十分調達できる状況を示す閾値と、を比較した結果を、その商品の広告の頻度を多くするか（命令Ｄ）、訴求度が比較的大きい広告とするか（命令Ｅ）、又はそれまでにその商品の広告がされていない場合にはその商品の広告を開始するか（命令Ｆ）の少なくともいずれか一以上の命令と関連付けた広告管理テーブルを保持する広告管理テーブル保持部と、
受信した受発注在庫情報を前記閾値と比較して、その結果をキーとして広告管理テーブルを検索してその結果に関連付けられた命令を取得する命令取得部と、
取得した前記命令を前記広告ＤＢに送信する命令送信部と、
を有する広告管理サーバ。
【請求項３】
ＰＯＳシステムと、商品などの広告をウエッブ上で公開するための広告ＤＢと、に接続され、ＰＯＳシステムで管理されている商品などの広告を管理するための広告管理サーバであって、
前記ＰＯＳシステムから受発注在庫情報を受信する受発注在庫情報受信部と、
各商品ごとに共同購入キャンペーンが行われているか否かを示すキャンペーン実行有無情報を保持するキャンペーン実行有無情報保持部と、
受発注在庫情報と、販売できる商品が少ない又は十分調達できない状況を示す閾値と、を比較した結果を、その商品の共同購入キャンペーン広告の頻度を少なくするか（命令Ｇ）、訴求度が比較的小さい共同購入キャンペーン広告とするか（命令Ｈ）、又はその商品の共同購入キャンペーン広告を停止するか（命令Ｉ）の少なくともいずれか一以上の命令と関連付け、
受発注在庫情報と、販売できる商品が十分ある又は十分調達できる状況を示す閾値と、を比較した結果を、その商品の共同購入キャンペーン広告の頻度を多くするか（命令Ｊ）、訴求度が比較的大きい共同購入キャンペーン広告とするか（命令Ｋ）、又はそれまでにその商品の共同購入キャンペーン広告がされていない場合にはその商品の共同購入キャンペーン広告を開始するか（命令Ｌ）の少なくともいずれか一以上の命令と関連付けた広告管理テーブルを保持する第二広告管理テーブル保持部と、
受信した受発注在庫情報に基づいて前記保持されているキャンペーン実行有無情報を取得し、その商品について共同購入キャンペーンが行われているか否か判断するキャンペーン実行有無判断部と、
前記判断結果が、その商品について共同購入キャンペーンが行われているとの判断結果である場合に、受信した受発注在庫情報を前記閾値と比較して、その結果をキーとして広告管理テーブルを検索してその結果に関連付けられた命令を取得する第二命令取得部と、
取得した前記命令を前記広告ＤＢに送信する命令送信部と、
を有する広告管理サーバ。
【請求項４】
広告ＤＢは、
さらに受信した前記命令に応じて広告を掲載するウエッブページを選択する選択部を有する請求項１に記載の広告管理システム。
【請求項５】
ＰＯＳシステムと、ＰＯＳシステムで管理されている商品などの広告を管理するための広告管理サーバと、前記商品などの広告をウエッブ上で公開するための広告ＤＢと、からなる広告管理システムの制御方法であって、
前記ＰＯＳシステムにおいて、
商品の受発注在庫情報を商品別に広告管理サーバに対して送信する受発注在庫情報送信ステップを計算機に計算させ、
前記広告管理サーバにおいて、
受発注在庫情報を受信する受発注在庫情報受信ステップと、
受発注在庫情報と、販売できる商品が少ない又は十分調達できない状況を示す閾値と、を比較した結果を、その商品の広告の頻度を少なくするか（命令Ａ）、訴求度が比較的小さい広告とするか（命令Ｂ）、又はその商品の広告を停止するか（命令Ｃ）の少なくともいずれか一以上の命令と関連付け、
受発注在庫情報と、販売できる商品が十分ある又は十分調達できる状況を示す閾値と、を比較した結果を、その商品の広告の頻度を多くするか（命令Ｄ）、訴求度が比較的大きい広告とするか（命令Ｅ）、又はそれまでにその商品の広告がされていない場合にはその商品の広告を開始するか（命令Ｆ）の少なくともいずれか一以上の命令と関連付けた広告管理テーブルを保持するために記録する広告管理テーブル記録ステップと、
受信した受発注在庫情報を前記閾値と比較して、その結果をキーとして広告管理テーブルを検索してその結果に関連付けられた命令を取得する命令取得ステップと、
取得した前記命令を広告ＤＢに送信する命令送信ステップと、を計算機に計算させ、
予め広告を蓄積している前記広告ＤＢにおいて、
広告管理サーバから前記命令を受信する命令受信ステップと、
受信した前記命令が命令Ａである場合には、他の広告に比較して前記命令に係る商品の広告頻度を下げるスケジュールを計算するＡ計算ステップと、
受信した前記命令が命令Ｂであり、訴求度を示す属性が蓄積されている広告に与えられている場合には、訴求度を示す属性が比較的低い広告に前記命令に係る商品の広告を入れ替えるスケジュールを計算するＢ計算ステップと、
受信した前記命令が命令Ｃである場合には、前記命令に係る商品の広告を停止するスケジュールを計算するＣ計算ステップと、
受信した前記命令が命令Ｄである場合には、他の広告に比較して前記命令に係る商品の広告の頻度を多くするスケジュールを計算するＤ計算ステップと、
受信した前記命令が命令Ｅであり、訴求度を示す属性が蓄積されている広告に与えられている場合には、訴求度を示す属性が比較的大きい広告に前記命令に係る商品の広告を入れ替えるスケジュールを計算するＥ計算ステップと、
受信した前記命令が命令Ｆである場合には、前記命令に係る商品の広告を開始するスケジュールを計算するＦ計算ステップと、を計算機に計算させる
広告管理システムの制御方法。
【請求項６】
ＰＯＳシステムと、商品などの広告をウエッブ上で公開するための広告ＤＢと、に接続され、ＰＯＳシステムで管理されている商品などの広告を管理するための広告管理サーバであって、
受発注在庫情報と、販売できる商品が少ない又は十分調達できない状況を示す閾値と、を比較した結果を、その商品の広告の頻度を少なくするか（命令Ａ）、訴求度が比較的小さい広告とするか（命令Ｂ）、又はその商品の広告を停止するか（命令Ｃ）の少なくともいずれか一以上の命令と関連付け、
受発注在庫情報と、販売できる商品が十分ある又は十分調達できる状況を示す閾値と、を比較した結果を、その商品の広告の頻度を多くするか（命令Ｄ）、訴求度が比較的大きい広告とするか（命令Ｅ）、又はそれまでにその商品の広告がされていない場合にはその商品の広告を開始するか（命令Ｆ）の少なくともいずれか一以上の命令と関連付けた広告管理テーブルを有する広告管理サーバの制御方法であって、
前記ＰＯＳシステムから受発注在庫情報を受信する受発注在庫情報受信ステップと、
受信した受発注在庫情報を前記閾値と比較して、その結果をキーとして広告管理テーブルを検索してその結果に関連付けられた命令を取得する命令取得ステップと、
取得した前記命令を前記広告ＤＢに送信する命令送信ステップと、
を計算機に計算させる広告管理サーバの制御方法。
【請求項７】
ＰＯＳシステムと、商品などの広告をウエッブ上で公開するための広告ＤＢと、に接続され、ＰＯＳシステムで管理されている商品などの広告を管理するための広告管理サーバであって、
受発注在庫情報と、販売できる商品が少ない又は十分調達できない状況を示す閾値と、を比較した結果を、その商品の共同購入キャンペーン広告の頻度を少なくするか（命令Ｇ）、訴求度が比較的小さい共同購入キャンペーン広告とするか（命令Ｈ）、又はその商品の共同購入キャンペーン広告を停止するか（命令Ｉ）の少なくともいずれか一以上の命令と関連付け、
受発注在庫情報と、販売できる商品が十分ある又は十分調達できる状況を示す閾値と、を比較した結果を、その商品の共同購入キャンペーン広告の頻度を多くするか（命令Ｊ）、訴求度が比較的大きい共同購入キャンペーン広告とするか（命令Ｋ）、又はそれまでにその商品の共同購入キャンペーン広告がされていない場合にはその商品の共同購入キャンペーン広告を開始するか（命令Ｌ）の少なくともいずれか一以上の命令と関連付けた広告管理テーブルを有する広告管理サーバの制御方法であって、
各商品ごとに共同購入キャンペーンが行われているか否かを示すキャンペーン実行有無情報を保持するために記録するキャンペーン実行有無情報記録ステップと、
ＰＯＳシステムから受発注在庫情報を受信する受発注在庫情報受信ステップと、
受信した受発注在庫情報に基づいて前記保持されているキャンペーン実行有無情報を取得し、その商品について共同購入キャンペーンが行われているか否か判断するキャンペーン実行有無判断ステップと、
前記判断結果が、その商品について共同購入キャンペーンが行われているとの判断結果である場合に、受信した受発注在庫情報を前記閾値と比較して、その結果をキーとして広告管理テーブルを検索してその結果に関連付けられた命令を取得する第二命令取得ステップと、
取得した前記命令を前記広告ＤＢに送信する命令送信ステップと、
を計算機に計算させる広告管理サーバの制御方法。
【手続補正２】
【補正対象書類名】明細書
【補正対象項目名】００５０
【補正方法】変更
【補正の内容】
【００５０】
そして、このように受発注在庫情報で示される商品ごとの例えば受注数や在庫数等の情報を利用して、次の「広告管理サーバ」では、以下に説明するような構成によって、商品ＩＤなどで示される商品の広告の表示方法などに関する各種制御を実行することになる。